(57)【要約】【課題】ケーシングのあらゆる角部の保護を確実に行うことができ、しかも簡単かつ迅速に梱包でき、製造コスト、作業性の面あるいは環境衛生的にも優れたアングル状当て具を提供する。【解決手段】一対のアングルプレート１からなるアングル材２をケーシングＣの角部Ｋに当接し、角部Ｋの変形などを防止するアングル状当て具Ａであって、アングルプレート１の各側端部に、締付けバンドＢが挿通されるバンド挿通部３をそれぞれ形成し、締付けバンド３を一方のバンド挿通部３よりアングル材２の山部を越え他方のバンド挿通部３に挿通した状態で締付けることを特徴とする。【選択図】図１
0003120138.tif 000002
【実用新案登録請求の範囲】
【請求項１】
一対のアングルプレートからなるアングル材をケーシングの角部に当接し当該角部の変形などを防止するアングル状当て具であって、前記アングルプレートの各側端部に、締付けバンドが挿通されるバンド挿通部をそれぞれ形成し、前記締付けバンドを一方の前記バンド挿通部より前記アングル材の山部を越え他方のバンド挿通部に挿通した状態で締付けることを特徴とするアングル状当て具。
【請求項２】
前記バンド挿通部は、少なくとも一方を前記側端部から切り込まれた切欠部としたことを特徴とする請求項１に記載のアングル状当て具。
【請求項３】
前記切欠部は、前記アングルプレートの各側端からＬ字状に切り込んだもので、前記バンドを嵌め込む入口部と、当該入口部と連通し前記バンドが挿通される通し部と、前記バンドの脱落を防止する突片とを有することを特徴とする請求項２に記載のアングル状当て具。
【請求項４】
前記切欠部は、一方がＬ字状で、他方が逆Ｌ字状としたことを特徴とする請求項３に記載のアングル状当て具。
【請求項５】
前記アングル材は、板紙を積層して形成したことを特徴とする請求項１〜４のいずれかに記載のアングル状当て具。
【考案の詳細な説明】
【技術分野】
【０００１】
本考案は、荷物などの梱包時にケーシングの角部の変形を防止し保護するアングル状当て具に関する。
【背景技術】
【０００２】
例えば、段ボール箱などのケーシングに物品を収納し、梱包する場合、外部からロープやベルトなど（本明細書では「ベルト」と総称する）により締め付けるが、この締め付けによりケーシングの角部が変形したり破損する虞があることから、角部を保護手段により保護することが好ましい。
【０００３】
従来の保護手段としては、例えば、下記特許文献１に記載されているような、円筒状ケーシングの端部の角部に設けられる角保護材がある。この角保護材は、板紙を積層して形成した一対のアングルプレートからなるアングル材であって、一方のアングルプレートにウェーブ部あるいはスリットを入れ、全体形状を円弧状としたもので、これを円筒状ケーシングの角部として用い、角部の保護を強化している。
【特許文献１】実開平６−６７３９１号公報（図１、図４、要約参照）
【考案の開示】
【考案が解決しようとする課題】
【０００４】
ところが、このような角保護材は、単にケーシングの角部を別部材により構成するものであるため、外部から力が加わると、変形する虞がある。例えば、段ボール箱や角缶などのような角部を有するケーシングに物品を収納した後に、外周にバンドを掛けて締付けることがあるが、前述した角保護材のみでは、バンドの締付け力に対抗できず、ケーシングの角部が変形したり破損する虞がある。特に、胴部の外周にバンドを掛けて締付けると、角保護材を設けることができないため、ケーシングの角部が変形破損する虞がある。
【０００５】
本考案は、このような課題を解決するためになされたもので、ケーシングのあらゆる角部の保護を確実に行うことができ、しかも簡単かつ迅速に梱包でき、製造コスト、作業性の面あるいは環境衛生的にも優れたアングル状当て具を提供することを目的とする。
【課題を解決するための手段】
【０００６】
上記目的を達成するための本考案は、一対のアングルプレートからなるアングル材をケーシングの角部に当接し当該角部の変形などを防止するアングル状当て具であって、前記アングルプレートの各側端部に、締付けバンドが挿通されるバンド挿通部をそれぞれ形成し、前記締付けバンドを一方の前記バンド挿通部より前記アングル材の山部を越え他方のバンド挿通部に挿通した状態で締付けることを特徴とするアングル状当て具である。
【考案の効果】
【０００７】
請求項１に記載の考案では、締付けバンドを一方のバンド挿通部よりアングル材の山部を越え他方のバンド挿通部に挿通した状態で締付けるので、締付けバンドを締付けてもケーシングのあらゆる角部を確実に保護することができる。特に、段ボール製のケーシングの場合には、より強力にバンドの締付けが可能となる。
【０００８】
請求項２，３に記載の考案では、バンド挿通部の少なくとも一方を側端部から切り込み成形した切欠部により構成したり、この切欠部をＬ字状に構成しているので、扁平な締付けバンドに簡単に取り付けることができ、作業性が向上する。
【０００９】
請求項４に記載の考案では、切欠部の一方をＬ字状、他方を逆Ｌ字状としたので、簡単な成形のみで、一旦締付けバンドに装着した後の当て具の脱落が防止できることになる。しかも、これによりケーシング角部の保護がより確実となる。
【００１０】
請求項５に記載の考案では、アングル材を、板紙を積層して形成したので、用済み後に廃棄処分しても、環境を破壊することはなく、環境衛生的にも好ましいものとなる。
【考案を実施するための最良の形態】
【００１１】
以下、本考案の実施の形態を、図面を参照しつつ説明する。
【００１２】
図１は本実施形態に係るアングル状当て具の使用状態を示す概略斜視図、図２は図１の要部拡大斜視図、図３は当て具の一方のアングルプレートを示す正面図、図４は当て具のみを示す概略斜視図、図５は当て具の結束状態を示す概略斜視図である。
【００１３】
本実施形態に係るアングル状当て具Ａは、図１に示すように、例えば、段ボール箱や角缶などのような角部を有するケーシングＣの外部にロープや扁平なテープ状のバンドＢを掛け、これを締付けて、梱包するときに、ケーシングＣとバンドＢとの間に介在させ、バンドＢの締付け力による角部Ｋの変形や破損を防止し保護するために使用するものである。
【００１４】
本実施形態のアングル状当て具Ａは、図２に示すように、略直角に折曲された一対のアングルプレート１からなるアングル材２と、アングル材２をケーシングＣに締付けるバンドＢとを有している。
【００１５】
アングル材２は、板紙を積層して形成したものである。軽量化を図ることができるのみでなく、用済み後に廃棄処分しても土になり、環境破壊を防止し、環境衛生的にも好ましいからである。
【００１６】
アングル材２のアングルプレート１の側端部には、締付けバンドＢを挿通するバンド挿通部３がそれぞれ形成されている。バンド挿通部３は、バンドＢが挿通することができれば、孔であっても切欠であってもよいが、本実施形態では、アングルプレート１の側端部から切り込みを入れることにより形成された切欠部４により形成されている。なお、切欠部４は、いずれか一方のアングルプレート１のみに形成し、他方のアングルプレート１には、例えば、挿通孔を形成したものであってもよい。
【００１７】
切欠部４は、図３に示すように、アングルプレート１の各側端からＬ字状に切り込んだもので、バンドＢを嵌め込む入口部５と、入口部５と連通しバンドＢが挿通される通し部６と、バンドＢの脱落を防止する突片７とを有している。
【００１８】
特に、本実施形態の切欠部４は、図４に示すように、一方のアングルプレート１に形成されたものがＬ字状で、他方が逆Ｌ字状としている。このようにすれば、簡単に切欠部４を成形できるのみで、一旦締付けバンドに装着した後には、当て具の脱落が防止でき好ましい。
【００１９】
当て具Ａの寸法に関しては、軸方向長さＬ１は、種々のものを選択できるが、切欠部４の入口部５、通し部６および突片７の大きさも自由に選択可能である。ただ、各アングルプレート１の幅Ｌ２に関しては、種々のものを使用できるが、例えば、いわゆる１８リットル缶のようなものでは、後述する実験例から明らかなように、３０ｍｍ〜１００ｍｍ程度が好ましく、厚さｔに関しては、１ｍｍ〜６ｍｍ程度が好ましいことが判明している。
【００２０】
次に、作用を説明する。
【００２１】
バンドの結束は、図５に示すような、半自動の結束機１０を用いて行う。結束機１０の基盤１１上に、ケーシングＣを設置し、バンドＢをケーシングＣの周囲に仮締めする。この仮締めした状態のバンドＢにアングル状当て具Ａを取り付けるが、当て具Ａの取り付けに当たっては、一方の切欠部４の入口部５よりバンドＢを挿入し、このバンドＢを通し部６まで押し込む。また、バンドＢをアングル材２の山部を越えて他方のバンド挿通部３の切欠部４の入口部５より挿入し、これを通し部６まで押し込むことにより行う。
【００２２】
なお、断面矩形状のケーシングＣであれば、４つのバンドＢの４箇所に当て具Ａを取り付け、各当て具ＡをバンドＢに沿ってスライドし、角部Ｋの位置にセットしてもよい。
【００２３】
この状態で、再度、結束機１０を作動し、バンドＢを本締めすると、外面側から当て具Ａを介してケーシングＣを締付けることができる。この締付けによっても、ケーシングＣの角部は、当て具Ａを介して締付けられ、直接的な締付けとはならないので、変形や破損を生じることはない。
【００２４】
また、当て具Ａの切欠部４は、一方がＬ字状、他方が逆Ｌ字状としているので、ケーシングＣが振動しても、バンドＢがズレることはなく、結束状態が維持される。
【００２５】
＜実験例１＞
実験に当たり、当て具Ａは、アングル材２として、紙管原紙を３枚積層し、厚さ３ｍｍとし、各アングルプレート１の大きさは、長さＬ１が１００ｍｍで、長さＬ２が３０ｍｍのものを使用した。切欠部４は、入口部５の幅Ｗ１が５ｍｍ、通し部６の幅Ｗ２が２０ｍｍ、通し部６の横幅Ｗ３が７ｍｍ、突片７の長さＷ４が１５ｍｍとした。
【００２６】
バンドＢは、幅Ｍ１が１５ｍｍ、厚さＭ２が０．６ｍｍの扁平なポロプロピレン樹脂製の結束バンドを使用した。被梱包材としては、断面矩形状をした１８リットル缶で、これを結束機１０の基盤１１上に横にしてセットした。
【００２７】
バンドＢには、予め、１つの当て具Ａを取り付け、これをケーシングＣの角部Ｋに当てた状態でセットした。
【００２８】
この状態で、締付け力６０ｋｇで締付けた。結束後の当て具Ａに変形が生じるか否かを目視観察した。ケーシングＣ自体が変形すれば、必要に応じてこれを交換した。
【００２９】
同じ操作工程を各角部で行い、４回繰り返した結果、当て具Ａが角部からズレることはなく、また、当て具Ａの変形も見られなかった。
【００３０】
＜実験例２＞
また、アングル材２として、厚さ６ｍｍとし、各アングルプレート１の大きさが、長さＬ１が１００ｍｍで、長さＬ２が５０ｍｍのものを使用した。切欠部４の大きさ、バンドＢの大きさおよびケーシングＣは、同様のものを使用して実験を行った。この結果、当て具Ａのズレや変形は見られず、良好な結果が得られた。
【００３１】
この結果、アングル材２としては、長さＬ１が１００ｍｍ〜２０００ｍｍ、Ｌ２が３０ｍｍ〜１００ｍｍ、厚さｔは、１ｍｍ〜６ｍｍのものであれば、実用に供することができることが明らかになった。
【００３２】
なお、上述したものは、本考案の一例であり、本考案は、実用新案登録請求の範囲に記載の要旨を逸脱することなく、種々変更することができる。例えば、切欠部は、Ｌ字状したものであるが、必ずしもＬ字状でなくてもよく、バンドＢのズレが防止できるものであれば、どのような形状であってもよい。また、アングル材は、板紙を使用して形成したが、場合によっては、種々に材料をしても良い。さらに、アングルプレート１相互間の角度も、必ずしも９０°でなく、種々のものを使用してもよい。
【産業上の利用可能性】
【００３３】
本考案に係るアングル状当て具は、断面矩形状の缶やダンボールの角部を保護するものに適している。
【図面の簡単な説明】
【００３４】
【図１】本考案に係るアングル状当て具の使用状態を示す概略斜視図である。
【図２】図１の要部を示す概略斜視図である。
【図３】当て具の一方のアングルプレートを示す正面図である。
【図４】図１の要部を拡大して示す断面図である。
【図５】当て具の結束状態を示す概略斜視図である。
【符号の説明】
【００３５】
１…アングルプレート、
２…アングル材、
３…バンド挿通部、
４…切欠部、
５…入口部、
６…通し部、
７…突片、
Ａ…アングル状当て具、
Ｂ…締付けバンド、
Ｃ…ケーシング、
Ｋ…角部。
【図１】
0003120138.tif 000003
【図２】
0003120138.tif 000004
【図３】
0003120138.tif 000005
【図４】
0003120138.tif 000006
【図５】
0003120138.tif 000007